【事件の表示】
　特願２０１５−５０４７４６「改善された貯蔵寿命を有するパッケージ化抗菌性医療機器及びその調製方法」拒絶査定不服審判事件〔平成２５年１０月１０日国際公開、ＷＯ２０１３／１５２２７１、平成２７年　５月２８日国内公表、特表２０１５−５１５３２４〕について、次のとおり審決する。
【結　論】
　本件審判の請求は、成り立たない。
【理　由】
第１　手続の経緯
　本願は，２０１３（平成２５）年４月５日（パリ条約に基づく優先権主張外国庁受理２０１２（平成２４）年４月６日　米国（ＵＳ））を国際出願日とする出願であって，その手続の経緯は以下のとおりである。
　平成２８年１２月１３日付け：拒絶理由通知書
　平成２９年　３月１３日　　：意見書，手続補正書の提出
　平成２９年　５月２６日付け：拒絶査定
　平成２９年　８月１６日　　：審判請求書，手続補正書の提出
第２　平成２９年８月１６日にされた手続補正についての補正の却下の決定
［補正の却下の決定の結論］
　平成２９年８月１６日にされた手続補正（以下，「本件補正」という。）を却下する。
［理由］
１　本件補正について（補正の内容）
（１）本件補正後の特許請求の範囲の記載
　本件補正により，特許請求の範囲の請求項１の記載は，次のとおり補正された。（下線は，補正箇所を示す。）
「パッケージ化抗菌性縫合糸を製造する方法であって、
　抗菌剤の源を有する内側パッケージを提供する工程であって、前記抗菌剤の源は、それぞれが一対の抗菌性材料リザーバを有する複数のパッチを含む、内側パッケージを提供する工程と、
　１つ又は２つ以上の表面を含む少なくとも１つの縫合糸を前記内側パッケージ内に配置する工程と、
　前記内側パッケージを内面を有する外側パッケージで覆う工程と、
　前記少なくとも１つの縫合糸と、前記内側パッケージと、前記外側パッケージの前記内面とを、有効な量の前記抗菌剤を前記抗菌剤源から前記少なくとも１つの縫合糸と前記内側パッケージに移動させるのに十分な時間、温度、及び圧力条件にさらし、それによって前記少なくとも１つの縫合糸と前記内側パッケージ上でのバクテリアコロニー化を実質的に抑制する工程と、を含み、
　前記内側パッケージが、封じ込め区画と外側カバーとを含み、
　前記複数のパッチの各々は、細長い形状を有し、前記外側カバーの内面の外周に沿って延在しており、前記一対の抗菌性材料リザーバの各々は、細長い形状を有する前記パッチにおける長手方向の両端部の各々に位置しており、
　前記複数のパッチが、前記外側カバーの前記内面の中心部に対して、互いに反対側の位置に配置されて
おり、
　前記外側カバーの前記内面が、略正方形の形状を有し、前記複数のパッチは、前記外側カバーの前記内面の前記外周である４つの辺に沿って延在している、
（２）本件補正前の特許請求の範囲の記載
　本件補正前の，平成２９年３月１３日にされた手続補正により補正された特許請求の範囲の請求項１の記載は次のとおりである。
「パッケージ化抗菌性縫合糸を製造する方法であって、
　抗菌剤の源を有する内側パッケージを提供する工程であって、前記抗菌剤の源は、それぞれが一対の抗菌性材料リザーバを有する複数のパッチを含む、内側パッケージを提供する工程と、
　１つ又は２つ以上の表面を含む少なくとも１つの縫合糸を前記内側パッケージ内に配置する工程と、
　前記内側パッケージを内面を有する外側パッケージで覆う工程と、
　前記少なくとも１つの縫合糸と、前記内側パッケージと、前記外側パッケージの前記内面とを、有効な量の前記抗菌剤を前記抗菌剤源から前記少なくとも１つの縫合糸と前記内側パッケージに移動させるのに十分な時間、温度、及び圧力条件にさらし、それによって前記少なくとも１つの縫合糸と前記内側パッケージ上でのバクテリアコロニー化を実質的に抑制する工程と、を含み、
　前記内側パッケージが、封じ込め区画と外側カバーとを含み、
　前記複数のパッチの各々は、細長い形状を有し、前記外側カバーの内面の外周に沿って延在しており、前記一対の抗菌性材料リザーバの各々は、細長い形状を有する前記パッチにおける長手方向の両端部の各々に位置しており、
　前記複数のパッチが、前記外側カバーの前記内面の中心部に対して、互いに反対側の位置に配置されている、パッケージ化抗菌性縫合糸を製造する方法。」
２　補正の適否
　本件補正は，本件補正前の請求項１に記載された発明を特定するために必要な事項である「外側カバー」および「複数のパッチ」について，それぞれ，「略正方形の形状を有し」（以下，「限定１」という。）および「前記外側カバーの前記内面の前記外周である４つの辺に沿って延在している」（以下，「限定２」という。）との限定を付加することを含むものである。
　まず，限定１について検討する。本願明細書には「
略
実質的に正方形
　そうすると，限定１は本願明細書および図面に記載された事項の範囲内のものであって，限定１により新たな技術的事項が導入されているとまではいえない。
　次に，限定２について検討する。本願明細書には「４つの辺に沿って延在」とは記載されていないものの，本願明細書の段落【００１２】には，「【図３】封じ込め区画の外部カバーの下側の平面図であり、外部カバーの
周辺に配置
外周に配置
　そうすると，限定２は，本願明細書に記載された事項の範囲内であって，限定２により新たな技術的事項が導入されているとまではいえない。
　してみると，本件補正は，願書に最初に添付した明細書，特許請求の範囲又は図面に記載した事項の範囲内においてしたものであって，特許法１７条の２第３項の要件を満たし，また，同条第４項の規定に違反するものであるとはいえず，そして，本件補正は，同条第５項第２号の特許請求の範囲の減縮を目的とするものに該当するといえる。
　そこで，本件補正後の請求項１に記載される発明（以下，「本件補正発明」という。）が，同条６項において準用する同法１２６条７項の規定に適合するか（特許出願の際独立して特許を受けることができるものであるか）について，以下，検討する。
（１）本件補正発明
　本件補正発明は，上記１（１）に記載したとおりのものである。
（２）引用文献の記載事項
　原査定の拒絶の理由に引用された本願の優先日前に頒布された又は電気通信回線を通じて公衆に利用可能となった引用文献である，米国特許出願公開第２０１０／０１６３４３５号明細書（２０１０（平成２２）年７月１日出願公開。以下，「引用文献１」という。）には，「PACKAGED ANTIMICROBIAL MEDICAL DEVICE HAVING IMPROVED SHELF LIFE AND METHOD OF PREPARING SAME（日本語訳：改善された貯蔵寿命を有するパッケージ化抗菌性医療用具及びその調製方法）」について，図面とともに次の記載がある。（日本語訳として，対応する特表２０１２−５３１９６９号に記載された箇所を付記する。また，下線は当審が付与したものである。）
ア　「[0002] The present invention relates to an antimicrobial medical device and an antimicrobial packaged medical device and their methods of making.」（日本語訳：【０００１】本発明は、抗菌性医療用具及び抗菌性パッケージ化医療用具及びその製造方法に関する。）
イ　「[0042] Referring now to FIGS.2-5, another embodiment of the packaged antimicrobial medical device 100 is shown. Packaged antimicrobial medical device 10 includes an inner package 111 having a source of antimicrobial agent. A medical device 114, which may be a needle 116 and suture 118 having one or more surfaces 120 is positioned within the inner package 111. In one embodiment, inner package 111 comprises a containment compartment 112 and an outer cover 122, the outer cover 122 having one surface 124 coated with an adsorbent material. In one embodiment, the adsorbent material is effective to adsorb a portion of the antimicrobial agent over time. An outer package 150 having an inner surface 152 is provided to seal the inner package 111 positioned within.
[0043] The containment compartment 112 of packaged antimicrobial medical device 100 includes a base member 126 and a plurality of channel cover tab members 128. Base member 126 includes a top side, bottom side, and an outer periphery 130. In one embodiment, an outer cover 122 may be positioned upon containment compartment 112 and within outer periphery 130, to at least partially enclose medical device 114.
[0044] The base member 126 may be a substantially flat substantially oval shaped member having a longitudinal axis. While in the case of packaged sutures, it may be desired that the base member 126 of packaged antimicrobial medical device 100 be oval shaped, although other configurations can be used including circular, polygonal, square with rounded corners, and the like and combinations thereof and equivalents thereof.
[0045] Referring in particular to FIGS. 2-4, the packaged antimicrobial medical device 100 of the present invention may be assembled in the following manner. Base member 126 may be provided with a plurality of locking pins 140. Channel cover tab members 128 may be provided with a plurality of locking pin receiving holes 142 for receiving corresponding locking pins 140 upon folding channel cover tab members 128 over locking pins 140. Then, channel cover tab members 128 become affixed to locking pins 140 of base member 126. Advantageously, the use of heating or ultrasonic treatments to firmly affixed channel cover tab members 128 to base member 126 may be avoided. In this embodiment, when containment compartment 112 is so formed, a channel 134 is formed, which may advantageously house a wound suture 118.」（日本語訳：【００２７】図２〜５を参照すると、パッケージ化抗菌性医療用具１００の別の実施形態が図示されている。
パッケージ化抗菌性医療用具１０は、抗菌剤の源を有する内側パッケージ１１１を含む。医療用具１１４は、針１１６及び１つ又は２つ以上の表面１２０を有する縫合糸１１８であってもよく、内側パッケージ１１１の中に配置されている。
内側パッケージ１１１は、封じ込め区画１１２及び外側カバー１２２を含み
外側カバー１２２は吸着材でコーティングされている１つの表面１２４を有する。１つの実施形態では、吸着材は、経時的に抗菌剤の一部を吸着するのに有効である。
【００２８】パッケージ化抗菌性医療用具１００の封じ込め区画１１２は、基板部材１２６及び複数のチャネルカバータブ部材１２８を含む。
基板部材１２６は、上側部と、下側部と、外周縁部１３０と、を含む。１つの実施形態では、外側カバー１２２は、医療用具１１４を少なくとも部分的に封入するように、封じ込め区画１１２の上にかつ外周縁部１３０の中に配置されてもよい。
【００２９】基板部材１２６は、長手軸を有する、実質的に平坦で実質的に卵形の形状をした部材であってもよい。パッケージ化縫合糸の場合、
パッケージ化抗菌性医療用具１００の基板部材１２６は卵形の形状であることが望ましい場合があるが、円形、多角形、丸みを帯びた角部を有する四角形など、並びにこれらの組み合わせ及びこれらの等価物を含む他の形状が使用され得る。
【００３０】特に図２〜４を参照すると、本発明のパッケージ化抗菌性医療用具１００は、以下の方法で組み立てることができる。基板部材１２６は、複数の止めピン１４０を備えてもよい。チャネルカバータブ部材１２８は、止めピン１４０にチャネルカバータブ部材１２８が折り重なるとき、対応する止めピン１４０を受容するための複数の止めピン受容穴１４２を備えてもよい。次いで、
チャネルカバータブ部材１２８
チャネル１３４は有利にも創傷縫合糸１１８を収容する
ウ　「[0061]The antimicrobial agent may be delivered to the medical device from an antimicrobial agent source that is positioned within or attached to the inner surface of a package. Specifically, the antimicrobial agent is transferred from the antimicrobial agent source to the medical device when the package, the antimicrobial agent source and the medical device are subjected to time, temperature and pressure conditions, as described below. For example, the antimicrobial agent source may be an antimicrobial agent-loaded paper reservoir, an antimicrobial agent-loaded porous pouch reservoir, an antimicrobial agent-loaded plastic reservoir, an antimicrobial agent-loaded sponge or foam reservoir, an antimicrobial agent-loaded tape (see element, or an antimicrobial agent-loaded tablet. Alternatively, the antimicrobial agent source may be integral with the package itself, i.e., antimicrobial agent incorporated into or on the package itself, such as but not limited to, applied directly on the inner surface of the package. Where the antimicrobial agent source is in a paper or plastic reservoir, such reservoir may be integral with one or more packaging component in the package.」（日本語訳：【００４６】
抗菌剤は、内部に配置された又はパッケージの内側表面に固定された抗菌剤の源から医療用具に送達され得る。
抗菌剤は、パッケージが抗菌剤の源及び医療用具が下記の時間、温度及び圧力の条件に供されたとき、抗菌剤の源から医療用具に移動する
抗菌剤の源は、抗菌剤を含む紙製のリザーバ、抗菌剤を含む多孔質パウチリザーバ、抗菌剤を含むプラスチック製のリザーバ、抗菌剤を含むスポンジ若しくは発泡体のリザーバ、抗菌剤を含むテープ（要素を参照のこと）、又は抗菌剤を含む錠剤であってもよい。
抗菌剤は、パッケージの内側表面上に直接塗布する等であるが、これに限定されない方法でパッケージ自体内又はパッケージ自体上に組み込まれる。
エ　「[0072] In accordance with various methods of the present invention, method of making a packaged antimicrobial suture having improved shelf life. Is provided. The method includes the steps of providing an inner package having a source of antimicrobial agent, providing an adsorbent material effective to adsorb a portion of the antimicrobial agent over time, positioning a suture within the inner package, the suture comprising one or more surfaces, covering the inner package with an outer package having an inner surface and subjecting the suture, the inner package and the inner surface of the outer package to time, temperature and pressure conditions sufficient to vapor transfer an effective amount of the antimicrobial agent from the antimicrobial agent source to the suture and the inner package, thereby substantially inhibiting bacterial colonization on the suture and the inner package. Advantageously, the packaged antimicrobial suture so produced exhibit improved shelf life over a packaged antimicrobial suture without an adsorbent material so provided.」（日本語訳：【００５７】
本発明の様々な方法に従って、改善された貯蔵寿命を有するパッケージ化抗菌性縫合糸を製造する方法が提供される
抗菌剤の源を有する内側パッケージを提供する工程
内側パッケージ内に縫合糸を配置する工程であって、縫合糸が１つ又は２つ以上の表面を含む、工程
内側表面を有する外側パッケージで内側パッケージを覆う工程
縫合糸、内側パッケージ、及び外側パッケージの内側表面を、抗菌剤の源から有効な量の抗菌剤を縫合糸及び内側パッケージに蒸気移動させるのに十分な時間、温度及び圧力の条件に供して、縫合糸及び内側パッケージ上における細菌定着を実質的に阻害する工程
オ　上記エに記載された「本発明の様々な方法に従って、改善された貯蔵寿命を有する
パッケージ化抗菌性縫合糸を製造する方法
カ　上記エに記載された「
抗菌剤の源を有する内側パッケージ
紙製のリザーバ
多孔質パウチリザーバ
プラスチック製のリザーバ
スポンジ若しくは発泡体のリザーバ
キ　上記エに記載された「
内側パッケージ内に縫合糸を配置
縫合糸が１つ又は２つ以上の表面を含む
縫合糸１１８
内側パッケージ１１１の中に配置
ク　上記エに記載された「
内側表面を有する外側パッケージで内側パッケージを覆う工程
ケ　上記ウに記載された「
抗菌剤は、パッケージが抗菌剤の源及び医療用具が下記の時間、温度及び圧力の条件に供されたとき、抗菌剤の源から医療用具に移動する
縫合糸
内側パッケージ
外側パッケージの内側表面
抗菌剤の源から有効な量の抗菌剤を縫合糸及び内側パッケージに蒸気移動
十分な時間、温度及び圧力の条件
縫合糸及び内側パッケージ上
細菌定着を実質的に阻害
コ　上記イに記載された「【００２７】・・・・・
内側パッケージ
封じ込め区画
外側カバー
サ　図３からみて，「外側カバー１２２の内側表面」と「基板部材１２６」とは，
一部分を除いて外周形状が略同一
基板部材１２６は
外周縁部１３０
外側カバー１２２は
封じ込め区画１１２の上
外周縁部１３０の中に配置
基板部材１２６は
丸みを帯びた角部を有する四角形
パッケージの内側表面に固定された抗菌剤の源
シ　そして，上記ア〜サを総合すると，引用文献１には次の発明（以下，「引用発明」という。）が記載されていると認められる。
「パッケージ化抗菌性縫合糸を製造する方法であって，
　抗菌剤の源を有する内側パッケージを提供する工程であって，前記抗菌剤の源は，抗菌剤を含むリザーバを含む，内側パッケージを提供する工程と，
　１つ又は２つ以上の表面を含む１つの縫合糸を内側パッケージ内に配置する工程と，
　前記内側パッケージを内側表面を有する外側パッケージで覆う工程と，
　前記１つの縫合糸と，前記内側パッケージと，前記外側パッケージの前記内側表面とを，有効な量の前記抗菌剤を前記抗菌剤の源から前記１つの縫合糸と前記内側パッケージに移動させるのに十分な時間，温度，及び圧力条件にさらし，それによって前記１つの縫合糸と前記内側パッケージ上での細菌定着を実質的に阻害する工程と，を含み，
　前記内側パッケージが，封じ込め区画と外側カバーとを含み，
　前記外側カバーの前記内側表面が，丸みを帯びた角部を有する四角形の形状を有し，前記抗菌剤の源は，前記内側パッケージの前記内側表面に固定されている，パッケージ化抗菌性縫合糸を製造する方法。」
（３）引用発明との対比
ア　本件補正発明と引用発明とを対比する。
（ア）「抗菌剤の源」について，引用発明の「抗菌剤を含むリザーバ」は，その機能・構造からみて，本件補正発明の「抗菌性材料リザーバ」に相当するといえることから，引用発明と本件補正発明とは「抗菌性材料リザーバを含む」点で共通するといえる。
（イ）「１つの縫合糸」が「少なくとも１つの縫合糸」の一部であるといえるから，引用発明の「１つの縫合糸」は，本件補正発明の「少なくとも１つの縫合糸」に相当するといえる。
（ウ）引用発明の「前記外側カバーの前記内側表面」は，その機能・構造からみて，本件補正発明の「外側カバーの前記内面」に相当することは，明らかである。
（エ）引用発明の「細菌定着を実質的に阻害する」は，本件補正発明の「バクテリアコロニー化を実質的に抑制する」に相当するといえる。
（オ）「正方形」は「四角形」の一種であることから，引用発明の「丸みを帯びた角部を有する四角形の形状」と本件補正発明の「略正方形の形状」とは，「略四角形」である点で共通するといえる。
イ　以上のことから，本件発明と引用発明との一致点および相違点は，次のとおりである。
（一致点） 
「パッケージ化抗菌性縫合糸を製造する方法であって，
　抗菌剤の源を有する内側パッケージを提供する工程であって，前記抗菌剤の源は，抗菌性材料リザーバを含む，内側パッケージを提供する工程と，
　１つ又は２つ以上の表面を含む少なくとも１つの縫合糸を前記内側パッケージ内に配置する工程と，
　前記内側パッケージを内面を有する外側パッケージで覆う工程と，
　前記少なくとも１つの縫合糸と，前記内側パッケージと，前記外側パッケージの前記内面とを，有効な量の前記抗菌剤を前記抗菌剤源から前記少なくとも１つの縫合糸と前記内側パッケージに移動させるのに十分な時間，温度，及び圧力条件にさらし，それによって前記少なくとも１つの縫合糸と前記内側パッケージ上でのバクテリアコロニー化を実質的に抑制する工程と，を含み，
　前記内側パッケージが，封じ込め区画と外側カバーとを含み，
　前記外側カバーの前記内面が，略四角形の形状を有している，パッケージ化抗菌性縫合糸を製造する方法。」
（相違点１）
　「抗菌剤の源」について，本件補正発明においては，「それぞれが一対の抗菌性材料リザーバを有する複数のパッチを含」み，「前記複数のパッチの各々は、細長い形状を有し、前記外側カバーの内面の外周に沿って延在しており、前記一対の抗菌性材料リザーバの各々は、細長い形状を有する前記パッチにおける長手方向の両端部の各々に位置しており、前記複数のパッチが、前記外側カバーの前記内面の中心部に対して、互いに反対側の位置に配置されて」いるのに対して，引用発明においては，そのような構成を有するか明らかでない点。
（相違点２）
　「外側カバーの内面」について，本件補正発明においては，「略正方形の形状を有し、前記複数のパッチは、前記外側カバーの前記内面の前記外周である４つの辺に沿って延在している」のに対して，引用発明においては，「丸みを帯びた角部を有する四角形の形状を有し，前記抗菌剤の源は，前記内側パッケージの前記内側表面に固定されている」点。
（４）判断
　以下，相違点について検討する。
ア　相違点１について
　まず，引用発明の「抗菌剤の源は，前記内側パッケージの前記内側表面に固定されている」について，上記（２）イに記載されたように，「
外側カバー１２２は吸着材でコーティングされている１つの表面１２４を有する。１つの実施形態では、吸着材は、経時的に抗菌剤の一部を吸着するのに有効である
抗菌剤は、パッケージの内側表面上に直接塗布する等であるが、これに限定されない方法でパッケージ自体内又はパッケージ自体上に組み込まれ
抗菌剤を含む紙製のリザーバ、抗菌剤を含む多孔質パウチリザーバ、抗菌剤を含むプラスチック製のリザーバ、抗菌剤を含むスポンジ若しくは発泡体のリザーバ、抗菌剤を含むテープ（要素を参照のこと）、又は抗菌剤を含む錠剤
　そして，外側カバー上にリザーバを配置する当たっては，その外側カバー自体の形状だけでなく，外側カバーの構造，つまり，外側カバーとチャネル１３４およびチャネルカバータブ１２８で形成されるリザーバを配置し得る空間の大きさ，抗菌対象である縫合糸１１８を収容するチャネル１３４に対応する位置関係や，外側カバーを基板部材１２６に固定するための「タブ１４６」の存在などを考慮した上で，リザーバの形状や配置場所を設計すべきことは技術常識からみて当然のことといえる。
　してみれば，引用発明において，「抗菌剤の源」として「複数のパッチを含む」よう構成するとともに，「複数のパッチの各々」は，「一対の抗菌性材料リザーバを有」し，「細長い形状を有し，外側カバーの内面の外周に沿って延在しており，前記一対の抗菌性材料リザーバの各々は，細長い形状を有する前記パッチにおける長手方向の両端部の各々に位置しており，前記外側カバーの内面の中心部に対して、互いに反対側の位置に配置され」るよう構成することは，当業者が必要に応じて設定することのできる単なる設計事項に過ぎないといわざるを得ず，本件補正発明の相違点１に係る構成による作用効果も十分予測し得る範囲のものに過ぎない。
　
イ　相違点２について
　引用発明の「丸みを帯びた角部を有する四角形の形状」を略正方形とする程度ことは，当業者が必要に応じて設定することのできる単なる設計事項に過ぎない。
　また，複数のニードル付き縫合糸を格納するためのトレイの形状が略正方形のものは，本願の優先日前に周知である（本願の優先日前に頒布された又は電気通信回線を通じて公衆に利用可能となった文献である特許第３３９０８４５号公報（１９９５（平成７）年１月６日出願公開。）の図１に「丸みを帯びた角部を有する略正方形のカバー５０」が図示されている。）ので参照のこと。）ことを踏まえると，引用発明に当該周知の技術的事項を適用することに何ら困難性はない。
　そして，その設計変更に当たって，引用発明の「抗菌剤の源」について「外側カバーの内面の外周である４つの辺に沿って延在している」ように構成することは，上記アでも検討したように，外側カバー上にリザーバを配置する際の考慮事項を踏まえれば，当業者とって何ら困難性はなく，阻害要因もないといえる。
　してみると，引用発明，または，引用発明および周知の技術的事項に基づいて本件補正発明の相違点２に係る構成とすることは当業者が容易に想到し得ることであり，その作用効果も当業者が十分予測し得る範囲のものに過ぎない。
ウ　そして，これらの相違点を総合的に勘案しても，本件補正発明の奏する作用効果は，引用発明，または，引用発明及び周知の技術的事項から予測される範囲内のものに過ぎず，格別顕著なものということはできない。
エ　したがって，本件補正発明は，引用発明，または，引用発明および周知の技術的事項に基づいて当業者が容易に発明をすることができたものであり，特許法第２９条第２項の規定により，特許出願の際独立して特許を受けることができないものである。
３　本件補正についてのむすび
　よって，本件補正は，特許法１７条の２第６項において準用する同法１２６条７項の規定に違反するので，同法第１５９条１項の規定において読み替えて準用する同法５３条１項の規定により却下すべきものである。
　よって，上記補正の却下の決定の結論のとおり決定する。
第３　本願発明について
１　本願発明
　平成２９年８月１６日にされた手続補正は，上記のとおり却下されたので，本願の請求項に係る発明は，平成２９年３月１３日にされた手続補正により補正された特許請求の範囲の請求項１ないし２０に記載された事項により特定されるものであるところ，その請求項１に係る発明（以下，「本願発明」という。）は，その請求項１に記載された事項により特定される，前記第２の［理由］１（２）に記載のとおりのものである。
２　原査定の拒絶の理由
　原査定の拒絶の理由は，この出願の請求項１ないし２０に係る発明は，本願の優先権主張の日前に頒布された又は電気通信回線を通じて公衆に利用可能となった上記引用文献１に記載された発明に基づいて，その出願前にその発明の属する技術の分野における通常の知識を有する者が容易に発明をすることができたものであるから，特許法２９条２項の規定により特許を受けることができない，というものである。
３　引用文献
　原査定の拒絶の理由で引用された引用文献１およびその記載事項は，前記第２の［理由］２（２）に記載したとおりである。
４　対比・判断
　本願発明は，前記第２の［理由］２で検討した本件補正発明から，「外側カバー」および「複数のパッチ」について，それぞれ，「略正方形の形状を有し」および「前記外側カバーの前記内面の前記外周である４つの辺に沿って延在している」との限定を削除したものである。
　そうすると，本願発明の発明特定事項を全て含み，さらに他の事項をふかしたものに相当する本件補正発明が，前記第２の［理由］２（３），（４）に記載したとおり，引用発明に基づいて，当業者が容易に発明をすることができたものであるから，本願発明も，引用発明に基づいて当業者が容易に発明をすることができたものであるというべきである。
第４　請求人の補正案について
　平成２９年１２月１１日に提出した上申書において，請求人は，請求項１について，以下の補正案を提示している。（下線は、補正箇所を示す。）
「［請求項１］
　パッケージ化抗菌性縫合糸を製造する方法であって、
　抗菌剤の源を有する内側パッケージを提供する工程であって、前記抗菌剤の源は、それぞれが一対の抗菌性材料リザーバを有する複数のパッチを含む、内側パッケージを提供する工程と、
　１つ又は２つ以上の表面を含む
各々の縫合糸からなる複数
少なくとも部分的に並べて
　前記内側パッケージを内面を有する外側パッケージで覆う工程と、
　前記
複数の
複数の
複数の
　前記内側パッケージが、封じ込め区画と外側カバーとを含み、
　前記複数のパッチの各々は、細長い形状を有し、前記外側カバーの内面の外周に沿って延在しており、前記一対の抗菌性材料リザーバの各々は、細長い形状を有する前記パッチにおける長手方向の両端部の各々に位置しており、
　前記複数のパッチが、前記外側カバーの前記内面の中心部に対して、互いに反対側の位置に配置されており、
　前記外側カバーの前記内面が、略正方形の形状を有し、前記複数のパッチは、前記外側カバーの前記内面の前記外周である４つの辺に沿って延在している、パッケージ化抗菌性縫合糸を製造する方法。」
　しかしながら，「複数の縫合糸」を内側パッケージ内に「少なくとも部分的に並べて」配置する」ことについては，前記第２の［理由］２（４）イで提示した文献（特許３３９０８４５号公報）に記載されているように，本願の優先日前に周知の技術的事項であるといえる。そして，当該補正案における請求項１に係る発明も，引用発明および周知の技術的事項に基づいて当業者が容易に発明をすることができたものであるというべきである。
　してみると，当該補正案も採用できない。
第５　むすび
　以上のとおり，本願発明は，特許法第２９条第２項の規定により特許を受けることができないから，他の請求項について検討するまでもなく，本願は拒絶されるべきものである。
　よって，結論のとおり審決する。